(57)【特許請求の範囲】
【請求項１】
支軸を中心に回動自在であり、先端に形成された保持手段により媒体を保持し、作用点に加えられる駆動力に従って駆動する第１のレバー部材と、
該第１のレバー部材の駆動に基づき、該第１のレバー部材の他端に設けられたローラにより駆動し、先端に前記媒体の後端が当接する第２のレバー部材と、
前記第１のレバー部材の前記作用点に駆動力を付与し、前記第１のレバー部材の駆動力を前記第２のレバー部材に伝達して、前記媒体を排出する駆動手段と、
前記第１のレバー部材の保持手段に前記媒体が保持されている間、該媒体を外部から目視する透明部材と、
前記媒体の記述内容が確認された後操作され、前記駆動手段を駆動するスイッチング手段と、
を有することを特徴とする媒体排出機構。
【請求項２】
前記駆動手段は、ソレノイドであることを特徴とする請求項１記載の媒体排出機構。
【発明の詳細な説明】
【０００１】
【産業上の利用分野】
本発明は、勝ち馬投票券や回数券等の有価証券、その他、紙幣等の紙葉類を自動的に発券する自動発券機に係り、特に媒体である紙葉類を確実に排出する媒体排出機構に関する。
【０００２】
【従来の技術】
今日、競馬の勝ち馬投票券や鉄道の回数券等の有価証券は、処理の効率化や人件費の削減等の要請から、自動発券機による発売が広く行われている。したがって、自動発券機で有価証券を購入する際、ユーザは必要なボタンを操作して、目的の券を求める。しかし、自動発券機の場合、顧客の心理として、一般に求めた券が正確に（印刷されて）出力されるか不安である。また、同じ券を複数枚購入する場合や、異なる券を連続して購入する場合、購入した枚数の券が確実に出力され、その内容が正確であるか不安である。
【０００３】
そこで、従来の自動発券機には購入した券が目的のものと同一か否かを判断する為、表面が透明な部材で構成された一次保留部が設けられている。そして、この一次保留部にボタン操作の完了と共に、一枚づつ券を出力し、券の内容が購入するものと同一か否か、又は必要な枚数の券が出力されたかを判断できる様に構成されている。
【０００４】
また、一次保留部に収納されている券は、一次保留部の下部に位置するストッパ上に載っており、ユーザが上述の確認処理を行い、券の内容や枚数に問題がないと判断した時、スイッチ操作により上述のストッパを解除し、一次保留部の下方に設けられた券出力部へ排出する構成である。尚、ユーザのスイッチ操作以外にも、自動発券機への投入金額分の券を購入し終わった場合には、例えば所定時間後、自動的にストッパが解除され、一次保留部内の券は券出力部に排出される構成である。
【０００５】
【発明が解決しようとする課題】
従来の媒体排出機構では、上述の様に、一次保留部に収納された券はユーザのスイッチ操作によりストッパが解除され、又は所定時間後自動的にストッパが解除され、券出力部に排出される。しかしながら、上述の様な紙葉類は軽く、静電気等を帯びた場合には券同士が吸着し、ストッパを解除しただけでは券出力部に落下しない。特に、空気が乾燥する季節には静電気等を帯び易く、自重による自然落下による券の排出方式では確実に券出力部に排出できない。
【０００６】
また、風が強い場合などには、券出力部から一次保留部へ風が吹き上げ、券の自重落下を阻害し、一次保留部内に券の一部が残り、券の確実な発行ができない。
【０００７】
本発明は上述のような従来の問題に鑑み、一次保留部にある券を強制的に券出力部へ排出することにより、有価証券等の媒体を確実に排出することを可能とする媒体排出機構を提供することを目的とする。
【０００８】
【課題を解決するための手段】
本発明の１つの構成は、支軸を中心に回動自在であり、先端に形成された保持手段により媒体を保持し、作用点に加えられる駆動力に従って駆動する第１のレバー部材と、該第１のレバー部材の駆動に基づき、該第１のレバー部材の他端に設けられたローラにより駆動し、先端に前記媒体の後端が当接する第２のレバー部材と、前記第１のレバー部材の前記作用点に駆動力を付与し、前記第１のレバー部材の駆動力を前記第２のレバー部材に伝達して、前記媒体を排出する駆動手段と、前記第１のレバー部材の保持手段に前記媒体が保持されている間、該媒体を外部から目視する透明部材と、前記媒体の記述内容が確認された後操作され、前記駆動手段を駆動するスイッチング手段とで構成されている。
【０００９】
また、前記駆動手段は、例えばソレノイドである。
【００１１】
【作用】
本発明は保留部にある媒体を保持する保持部が先端に形成され、回動自在な第１のレバー部材をソレノイド等の駆動手段で駆動し、媒体を落下させると共に、上記第１のレバー部材に設けられたローラに周接し、媒体の後端を押圧する第２のレバー部材を有し、上記駆動手段を駆動することにより上記第２のレバー部材を回動して媒体を強制的に排出するものであり、静電気等に影響されることなく確実に媒体を排出できるものである。
【００１２】
また、媒体排出板上に載置された媒体である紙葉類の後端に媒体排出板に設けられた突起を当て、例えばモータである駆動手段を駆動することにより、媒体排出板を移動し、紙葉類を排出するものであり、さらに紙葉類の後端を圧力ロールで保持することにより、紙葉類を排出後も、紙葉類を束の状態で保持でき、紙葉類の取り出しを確実に行うことができる。
【００１３】
【実施例】
以下、本発明の一実施例を図面に従って詳細に説明する。
図１は本実施例の媒体排出機構の模式的概略構成を示す図である。同図に示す媒体排出機構１は、例えば勝ち馬投票券等の不図示の自動発券機の出力部に設けられ、一次保留部２及び券出力部３で構成されている。また、図２は媒体排出機構１の一次保留部２の構成のみを示す平面図であり、図１の矢印Ａ方向から見た図である。
【００１４】
両図において、一次保留部２は不図示の自動発券機内で、ユーザの操作するボタンに対応する内容の印刷が施された勝ち馬投票券（以下、単に券で示す）Ｐを一旦収納する領域である。券Ｐは、搬送ローラ対４により１枚づつ一次保留部２へ送られてくる。一次保留部２の上側面５は、ガラス等の透明部材で構成され、矢印Ａ方向から券の内容（印刷内容）を見ることができる構成である。尚、一次保留部２の上側面５は、透明部材で構成すれば良く、ガラスに限らず、透明なアクリル板や、透明樹脂等で構成しても良い。
【００１５】
また、一次保留部２内には券Ｐを載置する載置板６が設けられ、この載置板６に沿って上述の券Ｐが順次収納される。また、載置板６に沿って収納された券Ｐの自重は、券Ｐの先端に当設するストッパ７ａにより保持される。このストッパ７ａは、支軸７ｂを中心に回動するストップレバー７に一体に形成されている。ストップレバー７は、支軸７ｂを中心に矢印ｂ、ｂ’方向に回動自在に構成され、同図に実線で示すＩの位置、又は二点鎖線で示すＩＩの位置に設定可能に構成されている。この為の構成として、上述の支軸７ｂの一方側には作用点７ｃにその先端が回動自在に取り付けられたレバー８を介してソレノイド９が設けられている。また、ストップレバー７の支軸７ｂの他方側の先端にはローラ１０が設けられている。ローラ１０は、ストップレバー７に立設されたピン７ｄを中心に回動自在に構成され、その周面はプッシュレバー１１の側面に周接する構成である。
【００１６】
また、プッシュレバー１１は支軸１１ａを中心に回動自在に構成され、上述のストップレバー７に設けられたローラ１０の周接に従って矢印ｃ’方向へ回動する構成である。また、プッシュレバー１１の先端部１１ｂは所定の曲率で内側に湾曲し、矢印ｃ’方向への回動に従って券Ｐの後端を矢印Ｄ方向に押下する構成である。尚、プッシュレバー１１にはバネ１２が取り付けられ、プッシュレバー１１は、常時矢印ｃ方向への付勢力を受けている。したがって、ソレノイド９が駆動しない間、ストップレバー７はプッシュレバー１１からの押圧力により、矢印ｂ方向へ回動し、その先端のストッパ７ａは一次保留部２に収納される券Ｐを保持する。
【００１７】
尚、券Ｐは、例えば長さ９２ｍｍ、幅５３ｍｍであり、図２に示すストップレバー７のストッパ７ａとプッシュレバー１１の先端部１１ｂの配設間隔は、９２ｍｍより若干余裕をもたせて、例えば９５ｍｍ程度で構成されている。また、一次保留部２のサイドガイド１３ａ、１３ｂの配設間隔は、券の幅である５３ｍｍに若干余裕をもたせて、例えば５７ｍｍ程度で構成されている。
【００１８】
以上の構成の媒体排出機構１において、以下に券Ｐの排出動作について説明する。
先ず、ユーザは自動発券機に設けられた表示／操作部を見ながらボタン操作し、目的の券Ｐを選択する。この様にして選択された券Ｐには、その内容が印刷され、前述の搬送ローラ対４により一次保留部２に出力される。この時、券Ｐの印刷面は図２に示す様に、透明なガラス板５の配設側であり、ユーザはガラス板５を介して一次保留部２へ出力された券Ｐの排出を確認し、又その内容が正しいか判断する。
【００１９】
上述の処理は、ユーザがボタンを操作し、券Ｐを購入する度に実行され、ボタンを操作し目的の券Ｐを購入する度に１枚づつ券が一次保留部２に排出される。この様にして出力される券Ｐの内容を１枚づつ確認し、必要な券の全てが一次保留部２に出力されたことを確認すると、ユーザは不図示の表示／操作部に設けられたスイッチを押すことにより、ストッパ７ａを解除する。
【００２０】
具体的には、上述のスイッチを押すことにより、不図示の制御回路が働き、ソレノイド９をオンし、プランジャ９’を矢印ｅ方向に駆動し、レバー８を介してストップレバー７の作用点７ｃを矢印ｅ方向に引く。この駆動により、ストップレバー７は矢印ｂ’方向に回動し、ストップレバー７の先端に形成されたストッパ７ａを同じく矢印ｂ’方向に移動する（解除する）。この為、ストッパ７ａ上に載置されていた複数枚の券Ｐは、ストッパ７ａが解除されたことにより、矢印Ｄ方向に落下する。また、この時同時に、ストップレバー７は支軸７ｂを中心にＩの位置からＩＩの位置へ移動する為、ストップレバー７の他端に設けられたローラ１０はプッシュレバー１１の側面を周動しつつ、プッシュレバー１１を矢印ｃ’方向に回動する。この為、プッシュレバー１１の先端部１１ｂは、上述の様に矢印Ｄ方向に落下する勝ち馬投票券Ｐの後端を押し下げる。すなわち、自重で載置板６上を自然落下する券Ｐの後端を強制的に先端部１１ｂで押し下げる。この為、複数枚の券Ｐは矢印Ｄ方向へ落下し、その際、静電気等で券同士に吸引力が働き、又は風等により券出力部３から一次保留部２へ風圧がかかっても、プッシュレバー１１による大きな押圧力で強制的に券Ｐを押すので確実に券Ｐを券出力部３へ排出することができる。
【００２１】
次に、本発明の他の実施例を図３、図４を用いて説明する。図３は他の実施例の媒体排出機構の模式的構成図である。また、図４はその平面図であり、図３の矢印Ｆ方向から見た図である。尚、両図は本実施例の媒体排出機構１４の一次保留部１５の構成のみを示すものであり、搬送ローラ対１６の上方には自動発券機の印刷部や制御回路が配置され、一次保留部１５の下方には不図示の券出力部が配設されている。
【００２２】
本実施例の媒体排出機構１４は、搬送ローラ１６、１７により一次保留部１５に出力された券Ｐをモータの駆動力に基づいて強制的に券出力部へ排出するものである。尚、本実施例で２対の搬送ローラ１６、１７を使用しているが、特に２対の搬送ローラでなければならないわけではない。
【００２３】
以下、具体的に構成を説明する。一次保留部１５には券Ｐを載置するプッシュテーブル１８が設けられている。プッシュテーブル１８には収納された券Ｐの後端を強制的に押し下げる２個の突起１８ａ、１８ｂが形成されている。また、プッシュテーブル１８の中央部には一次保留部１５の幅方向に長孔１８ｃが形成され、この長孔１８ｃにレバー１９に立設するピン１９ａが勘入している。尚、券Ｐは両図に示す位置に収納される。
【００２４】
また、レバー１９は支軸１９ｂを中心に矢印ｇ、ｇ’方向に回動可能に構成され、レバー１９の中央部には長孔１９ｃが形成されている。この長孔１９ｃにはモータ２０の回転軸２０’が勘入し、モータ２０により上記レバー１９を矢印ｇ、ｇ’方向に駆動する構成である。
【００２５】
一方、一次保留部１５の券出力口２１には、バネ部材２２の先端に取り付けられた圧力ロール２３が位置する。バネ部材２２は支点２４において不図示の匡体に取り付けられており、所定のバネ定数に従った付勢力を圧力ロール２３に加える。
【００２６】
以上の構成の媒体排出機構１４において、以下に媒体の排出動作を説明する。前述と同様、自動発券機の表示／操作部を見ながらボタン操作し、目的の券を指示し、一次保留部１５に順次排出される券Ｐを確認し、その内容が正しいか判断する。この様にして出力される券Ｐの内容を１枚づつ確認した後、不図示の表示／操作部に設けられたスイッチを押し、プッシュテーブル１８を移動する。
【００２７】
この移動は、具体的には上述のスイッチを押すことにより、不図示の制御回路が働き、モータ２０を回動し、レバー１９を矢印ｇ’方向に駆動することにより、プッシュテーブル１８を移動する。プッシュテーブル１８の移動により、プッシュテーブル１８上に載置された券Ｐの後端はプッシュテーブル１８に設けられた突起１８ａ及び１８ｂで押し下げられる。この様にして押し下げられた券Ｐは、券出力口２１に位置する圧力ロール２３を押し上げ、矢印Ｈ方向へ出力される。そして、不図示の券出力部へ排出される。但し、本実施例の場合、プッシュテーブル１８により完全に券Ｐが押し下げられても、その後端は圧力ロール２３と底板１７間に位置し、券Ｐは圧力ロール２３により抑えられた状態となる。
【００２８】
したがって、本実施例によれば、複数枚の券Ｐが券出力部へ排出され、その後端は圧力ロール２３により押さえつけられている状態であるので、所謂束の状態で券Ｐを取り出すことができる。
【００２９】
したがって、本実施例によっても、モータ２０の駆動力を利用したプッシュテーブル１８の移動により、強制的に券Ｐを排出するので、静電気等で券同士に吸着力が生じ、又は風等による風圧がかかっても確実に券Ｐを排出することができる。また、本実施例の媒体排出機構１５は、券出力部に排出された後も圧力ロール２３により、上述の如く、券Ｐの後端が保持されているので、風等により影響されることなく、且つ束の状態で券Ｐを取り出すことができる。したがって、例えば誤って券出力部に券Ｐを残すことがない。
【００３０】
尚、上述の２つの実施例では、媒体排出機構２、又は１５に収納する券としては、勝ち馬投票券について説明したが、これに限るわけではなく、競輪、競艇等の券、鉄道の回数券、その他、紙幣等の紙葉類に適用することもできる。
【００３１】
また、上述の２つの実施例ではユーザが不図示のスイッチを操作することにより、一次保留部２、又は１５に保持された紙葉類を排出する構成としたが、一定時間スイッチが操作されない時、ソレノイド９又はモータ２０を駆動し、紙葉類を排出する構成としても良い。
【００３２】
【発明の効果】
本発明は上述の様に、一次保留部にある有価証券等の媒体を強制的に券出力部へ排出するものであり、静電気等の有無にかかわらず、媒体を確実に排出することができる。
【００３３】
また、券出力部に出力される紙葉類の後端を圧力ロール等で保持することにより、束の状態で媒体を取り出すことができ、誤って券出力部に媒体の一部を残すことがない。
【図面の簡単な説明】
【図１】一実施例の媒体排出機構の模式的概略構成図である。
【図２】一実施例の媒体排出機構の平面図である。
【図３】他の実施例の媒体排出機構の模式的概略構成図である。
【図４】他の実施例の媒体排出機構の平面図である。
【符号の説明】
１、１４      媒体排出機構
２、１５      一次保留部
３      券出力部
４、１６、１７      搬送ローラ
５      ガラス板
６      載置板
７      ストップレバー
７ａ      ストップ部
７ｂ      支軸
７ｃ      作用点
７ｄ      ピン
８      レバー
９      ソレノイド
９’    プランジャー
１０      ローラ
１１      プッシュレバー
１１ａ      支軸
１１ｂ      先端部
１２      バネ
１７      底板
１８      プッシュテーブル
１８ａ、１８ｂ      突起
１８ｃ      長孔
１９      レバー
１９ａ    ピン
１９ｂ    支軸
１９ｃ    長孔
２０      モータ
２０’      回転軸
２１      券出力口
２２      バネ部材
２３      圧力ロール
【図１】
0003618366.tif 000002
【図２】
0003618366.tif 000003
【図３】
0003618366.tif 000004
【図４】
0003618366.tif 000005